(57)【要約】  本発明は、コークス炉室のガス圧を調整するための調整装置の複数の構成部分の同軸配置のずれを補償するための装置であって、前記調整装置が、浸漬カップ内への水の流入部を有していて、該浸漬カップ内に、コークス炉室のガス室を外部の雰囲気に対して閉鎖する浸漬水が収容されており、前記調整装置が浸漬管を有していて、該浸漬管が、前記浸漬水内に浸漬する端部において特別に成形された王冠型管として構成されており、前記調整装置がさらに、水流入部を制御するための調整機構を有している形式のものに関するものであり、この場合、前記装置は、王冠型管の外側又は浸漬カップの内側に浸漬カップのフレキシブルな懸架部及びガイドエレメントを備えていることを特徴としており、それによって、同軸的な調整装置の整列のずれが生じないように、及びこの調整機構の閉鎖栓が、浸漬カップのシール座内の常に正しい位置に配置されるようになっている。
2012528207.tif 000002
【特許請求の範囲】
【請求項１】
コークス炉室（１）のガス圧を調整するための装置であって、
コークス炉室（１）から垂直上方に突き出す上昇管を有しており、該上昇管がエルボ管に接続されていて、該エルボ管が前記上昇管（３）から側方に分岐して、垂直下方に浸漬管（７）内に移行していて、該浸漬管（７）が浸漬カップ（４）内に延在しており、前記エルボ管内に少なくとも１つの水流入部が配置されており、
浸漬カップ（４）を有しており、該浸漬カップ（４）が円錐形の底部を有していて、該底部の下端部に水（５）のための流出部が設けられており、該浸漬カップ（４）が上方に向かって開放しているか、又は上部にコークス化ガスのための排出口を有していて、変位可能なエレメントとしての保持部（８）で以てガス捕集容器（２）の蓋に取り付けられていて、それによって前記浸漬カップ（４）が空間的に可動であり、
王冠型管（６）を有しており、該王冠型管（６）が垂直下方に延在する前記浸漬管（７）の水溜め内への流入部を形成していて、前記王冠型管（６）の縁部に鋸歯状又は隙間状の成形部（６ａ）が設けられており、
前記底部の開口の下側の流出管を開放又は閉鎖することによって流出量を調整する調整機構（１３ａ，ｂ，ｃ）を有しており、該調整機構が可動バー（１４）に接続されていて、該可動バー（１４）が、上方に向かって王冠型管（６）の内室及び浸漬管（７）の蓋を通って運動機構に接続されている、
形式のものにおいて、
前記浸漬カップ（４）が、少なくとも３つの変位可能なエレメント（１１）にフレキシブルに懸架されていて、それによって前記浸漬カップ（４）が水平方向に可動であり、
前記王冠型管（６）の外側又は前記浸漬カップ（４）の内側において、前記浸漬カップ（４）内に位置する部分内に、前記浸漬カップ（４）内で前記王冠型管（６）をガイドするためのガイドエレメント（１０ａ，１０ｂ，１０ｃ）が設けられており、これらのガイドエレメント（１０ａ，１０ｂ，１０ｃ）が前記王冠型管（６）と浸漬カップ（４）との間に位置していて、これらのガイドエレメント（１０ａ，１０ｂ，１０ｃ）の大きさにより、前記浸漬カップ（４）内での精確に規定された可動性が与えられていることを特徴とする、コークス炉室（１）のガス圧を調整するための装置。
【請求項２】
前記変位可能なエレメント（８）が保持ロッドであって、該保持ロッドがその延長部にチェーンリンク（１１）を有している、請求項１記載のコークス炉室（１）のガス圧を調整するための装置。
【請求項３】
前記変位可能なエレメント（８）が保持ロッドであって、該保持ロッドがその延長部にワイヤロープを有している、請求項１記載のコークス炉室（１）のガス圧を調整するための装置。
【請求項４】
前記ガイドエレメント（１０ｂ）が前記王冠型管（６）の外側から突き出している、請求項１から３までのいずれか１項記載の、コークス炉室（１）のガス圧を調整するための装置。
【請求項５】
王冠型管（６）の外側から突き出す前記ガイドエレメント（１０ｂ）の少なくとも１つの大きさ及び長さが、王冠型管（６）によって調節可能である、請求項４記載のコークス炉室（１）のガス圧を調整するための装置。
【請求項６】
前記ガイドエレメント（１０ａ）は、浸漬カップ（４）の内側から突き出している、請求項１から３までのいずれか１項記載の、コークス炉室（１）のガス圧を調整するための装置。
【請求項７】
前記ガイドエレメント（１０ａ）は、その大きさ及び長さが前記浸漬カップ（４）に対して調節可能である、請求項６記載のコークス炉室（１）のガス圧を調整するための装置。
【請求項８】
前記ガイドエレメントが一対（１０ｃ，１０ｄ）で構成されていて、浸漬カップ（４）の内側からも、王冠型管（６）の外側からも突き出している、請求項１から３までのいずれか１項記載のコークス炉室（１）のガス圧を調整するための装置。
【請求項９】
前記ガイドエレメント（１０ｃ，１０ｄ）の少なくとも１つの大きさ又は空間的な寸法が、浸漬カップ（４）又は王冠型管（６）に対して調節可能である、請求項１から８までのいずれか１項記載のコークス炉室（１）のガス圧を調整するための装置。
【請求項１０】
前記ガイドエレメント（１０ａ，１０ｂ，１０ｃ，１０ｄ）が扁平な金属薄板である、請求項１から９までのいずれか１項記載のコークス炉室（１）のガス圧を調整するための装置。
【請求項１１】
前記ガイドエレメント（１０ａ，１０ｂ，１０ｃ，１０ｄ）がピンである、請求項１から９までのいずれか１項記載のコークス炉室（１）のガス圧を調整するための装置。
【請求項１２】
前記ガイドエレメント（１０ａ，１０ｂ，１０ｃ，１０ｄ）が管部材である、請求項１から９までのいずれか１項記載のコークス炉室（１）のガス圧を調整するための装置。
【請求項１３】
前記変位可能なエレメント（１１）が、水平方向にのみ変位可能である、請求項１から１２までのいずれか１項記載のコークス炉室（１）のガス圧を調整するための装置。
【請求項１４】
前記浸漬カップ（４）の垂直方向の可動性が保持手段によって制限されている、請求項１から１２までのいずれか１項記載のコークス炉室（１）のガス圧を調整するための装置。
【発明の詳細な説明】
【技術分野】
【０００１】
本発明は、調整装置の複数の構成部分の同軸配置のずれを補償するための装置に関する。この場合、調整装置は、調整機構、王冠型管及び浸漬カップより成っており、該浸漬カップは、コークス炉室のガス圧を制御するために用いられ、前記調整装置は、水で満たされた浸漬カップを有しており、該浸漬カップは、コークス炉室のガス室を、ガス捕集容器若しくは後続の装置部分に対して閉鎖し、浸漬水の水位の高さに基づいて、ガス圧を制御するための調整を行うようになっており、前記調整装置はさらに、浸漬管を有しており、該浸漬管は、その浸漬カップの水に浸漬された端部が特別に異形成形された王冠型管を形成していて、水位を調整するための調整機構を有している。本発明によれば、調整装置の同心的な整列のずれが生じることはなく、調整機構の閉鎖栓は常に同心的に位置し、浸漬カップに設けられた閉鎖栓用のシール座を閉鎖することが保証される。
【０００２】
コークス炉室の運転中にコークス化ガスが発生し、このコークス化ガスは、通常はコークスケーキ上のガス室内に達し、ここからさらに処理するためにガイドされる。コークス化ガスは、コークス化プロセスの時間変化に基づく所定の圧力にさらされる。一般的に、コークス化サイクル中におけるコークス炉室からのガス排出量の時間変化は、予測可能な変化を有している。これは一定ではなく、コークス化プロセスの瞬間的な段階に基づいているので、コークス化プロセスの経過中に、コークス炉室のガス室内で圧力変動が発生する。
【０００３】
しかしながら、コークス化プロセスを良好に制御することができ、かつコークス化ガスの次の処理を改善するために、コークス炉室上のガス室内のガス圧を、全コークス化プロセスに亘って可能な限り一定に保つ必要がある。変化実施例によれば、コークス化サイクルの終わりにガス圧を上昇させることも可能である。しかながら特に、炉内に周囲空気が侵入しないように、コークス炉室内のガス圧を常に測定する必要がある。これは、全コークス炉室内のガス圧を適当に調整することによって、周囲雰囲気に対して常にやや高い圧力が形成されることによって、得られる。
【０００４】
このような理由により、調整装置が設けられており、該調整装置によって、コークス炉室内の圧力が全コークス化プロセスに亘って一定に保たれるか、又は調整されるようになっている。このための１実施例によれば、コークス炉室から導出されるコークス化ガスが浸漬水として設けられた水量を通してガイドされ、それによって、浸漬水の高さ及び圧力によってコークス炉室内のガス圧が制御されるようになっている。浸漬水上には、いわゆるガス捕集容器のガス室が位置しており、このガス捕集容器は、排出されたコークス化ガスのための捕集タンクを形成していて、浸漬カップから溢流する水によって常に十分な量の水で満たされている。このような構造によって、コークス炉室内の圧力とガス捕集容器内の圧力とを分離させることができるので、ガス捕集容器からの吸入が改善され、ひいては、コークス炉ガスの次の処理を改善することができ、排出量を減少させることができる。
【０００５】
構造及び方法の１例は、欧州特許第６４９４５５号明細書（特許第３７３３１３９号明細書）に開示されている。この公知の構造によれば、コークス炉室のガス室は、上昇管に接続されており、該上昇管は、浸漬管として構成された上昇エルボ管に開口しており、該上昇エルボ管は、カップ状の栓内に浸漬している。浸漬カップとも称呼されているカップ状の栓は、コールウオータ（Kohlewasser）管路を介して水で満たされている。コールウオータ管路は調整弁を介して調整される。この調整弁は、コークス炉室内の圧力比に関連して浸漬カップ内の水位を正確に規定可能なレベルに保つ。この装置は、それぞれ個別のコークス炉室のために設けることができるので、それによって、各コークス炉室内のガス圧は調整され、全コークス炉団又はコークス炉バンク（Koksofenbank）におけるコークス化ガスの排出量は、運転時間に亘って制御されるか、又は一定に維持される。浸漬管の（水面に対して平行な）縁部が、過剰な圧力調整を生ぜしめ、浸漬脈動を引き起こすのを避けるために、浸漬管はその浸漬する端部が特別な形状に構成されている。
【０００６】
この装置の変化実施例は、米国特許出願公開第２００４／００８４２９３号明細書（特表２００４−５２１９８７号公報）に記載されている。この変化実施例によれば、浸漬管は、ドレン管のような排出口を有する浸漬カップ内に開口している。この排出口は、栓のような調整弁によって閉鎖され、この調整弁は、浸漬管を通ってガイドされた可動バーを介して排出口内に侵入することができる。このようにして、排出口は閉鎖されるので、浸漬カップとしての機能を有するいわゆる浸漬バケットは、常に正確に制御可能な水位レベルを有している。コークス炉室は、圧力測定装置を備えており、該圧力測定装置を介して、可動バーの高さ、及びひいては浸漬カップ内の水位が調節される。コークス炉ガスの排出量は、コークス化サイクルの運転中に亘って常に一定に維持され、プロセスコンピュータによって記録されるので、次のコークス化サイクルにおける可動バーの時間的な調節のための変化は僅かである。
【０００７】
しかしながらこのようなシステムは、システムの運転中に、上昇管及び該上昇管内に収容されている可動バーが、排出口の閉鎖栓と共に、該閉鎖栓のために設けられたシール座内において位置変化する、という欠点がある。その原因は、例えば運転中の温度変化によるコークス炉室内での上昇管及び可動バーの膨張現象又は歪み現象である。これによって、閉鎖栓の気密性が保たれなくなるので、浸漬カップ内の水位を、運転中に確実に制御することができなくなる。特に例えば可動バーが湾曲されるか、または浸漬カップが側方へ押しやられることになる。それによって、浸漬カップ内の水位が制御不能に変化し、ひいてはコークス炉室内の圧力は調整不能となる。
【０００８】
そこで本発明の課題は、浸漬カップを確実に閉鎖可能、かつ水位を確実に制御できるような装置を提供することである。これは特に、浸漬された端部を有する浸漬管が、浸漬カップを有するガス捕集容器に対してずらされない、ということである。
【０００９】
この課題を解決した本発明の装置の手段によれば、浸漬カップを有する装置が設けられており、前記浸漬カップが保持部によってガス捕集容器の蓋に取り付けられていて、該保持部が変位可能であり、それによって浸漬カップが空間的に可動であり、それと同時に、浸漬カップの内側に、又は浸漬管の外側に位置保持部材が固定されており、この位置保持部材は、浸漬管に対して浸漬カップがずれるのを阻止する。このような形式で、浸漬カップは膨張過程又は歪み過程時に、ガス捕集容器に対して及びひいてはコークス炉室に対して空間的にフレキシブルであり、それと同時に、浸漬カップは浸漬管に対して空間的に固定されている。
【００１０】
可動な保持部は、例えばワイヤロープ又はチェーンリンクによって形成されていてよい。これに対して位置保持部材は、金属薄板又はピンよって形成されており、この金属薄板又はピンは、浸漬カップの内側又は浸漬管の外側に固定されている。浸漬管の浸漬端部は、王冠型管（Kronenrohr）と称呼される。何故ならば、浸漬管の浸漬端部は、浸漬カップ内にガスが流入する際に脈動を阻止する形状を有しているからである。
【００１１】
本発明は、特にコークス炉室のガス圧を調整するための装置であって、
コークス炉室から垂直上方に突き出す上昇管を有しており、該上昇管がエルボ管に接続されていて、該エルボ管が前記上昇管から側方に分岐して、垂直下方に浸漬管内に移行していて、該浸漬管が浸漬カップ内に延在しており、前記エルボ管内に少なくとも１つの水流入部が配置されており、
浸漬カップを有しており、該浸漬カップが円錐形の底部を有していて、該底部の下端部に水のための流出部が設けられており、該浸漬カップが上方に向かって開放しているか、又は上部にコークス化ガスのための排出口を有していて、変位可能なエレメントとしての保持部で以てガス捕集容器の蓋に取り付けられていて、それによって前記浸漬カップが空間的に可動であり、
王冠型管を有しており、該王冠型管が垂直下方に延在する前記浸漬管の水溜め内への流入部を形成していて、前記王冠型管の縁部に鋸歯状又は隙間状の成形部が設けられており、
前記底部の開口の下側の流出管を開放又は閉鎖することによって流出量を調整する調整機構を有しており、該調整機構が可動バーに接続されていて、該可動バーが、上方に向かって王冠型管の内室及び浸漬管の蓋を通って運動機構に接続されている、
形式のものにおいて、
前記浸漬カップが、少なくとも３つの変位可能なエレメントにフレキシブルに懸架されていて、それによって前記浸漬カップが水平方向に可動であり、
前記王冠型管の外側又は前記浸漬カップの内側において、前記浸漬カップ内に位置する部分内に、前記浸漬カップ内で前記王冠型管をガイドするためのガイドエレメントが設けられており、これらのガイドエレメントが前記王冠型管と浸漬カップとの間に位置していて、これらのガイドエレメントの大きさにより、前記浸漬カップ内での精確に規定された可動性、即ち、底部の開口に対する流出管の精確に規定された可動性が与えられていることを特徴としている。
【００１２】
この装置は、浸漬カップの上端部にロープ又はロッド又はこれと類似の保持装置が固定されていて、この保持装置によって浸漬カップはガス捕集容器の蓋又は浸漬管に取り付けられるように、構成されている。この保持装置は、保持ロッドであって、該保持ロッドがその延長部に変位可能又は伸張可能なチェーンリンク又はワイヤロープを有している。浸漬カップは、この浸漬カップをガス捕集容器内に確実に保持するために、少なくとも３つの保持装置で以て取り付けられている。この保持装置は、典型的には３つであるが、４つでも５つでもよい。ガス捕集容器内に浸漬カップを取り付けるために、任意の数のこのような保持装置を設けてもよい。
【００１３】
このような構造においては、調整機構の操作の際に浸漬カップが一緒に操作されるのを阻止するようにしなければならない。何故ならば、調整機構の閉鎖栓は、コークス炉ガス凝縮物によるタール堆積物によって浸漬カップのシール座に固着するからである。このような理由により、位置保持部材は、一般的に水平方向でのみ変位可能でなければならない。従って、垂直方向における浸漬カップの自由な可動性を制限する保持手段が設けられている。保持手段は、ガス捕集容器の蓋における浸漬カップの懸架部に設けられた、浸漬カップの懸架部の可動性を制限する例えばねじであってよい。
【００１４】
浸漬管及び特に王冠型管は、外側縁部にガイドエレメントを備えている。このガイドエレメントは、上昇管又は王冠型管の外側から突き出すピンであってよい。ピンは、例えばその大きさ及び位置を王冠型管に対する調節することができる。それによって、王冠型管と浸漬カップとの間の間隔を、精確に規定された寸法に保つことができる。
【００１５】
ガイドエレメントは、浸漬カップの内側に固定してもよい。従って例えば浸漬カップの内側縁部に、全コークス化プロセス中に王冠型管と浸漬カップとの間の精確に規定された間隔を保証する部材を備えることができる。この部材も、その大きさ又は長さが浸漬カップに対して調節可能である。
【００１６】
ガイドエレメントを両側に、つまり王冠型管の外側にも、また浸漬カップの内側にも固定することができる。これによって、このガイドエレメントは、１対形式で、浸漬カップの内側からも、また王冠型管の外側からも間隔を保って位置することになる。この場合も、少なくとも１つのピンの大きさ又は空間的な寸法は、浸漬カップ又は王冠型管に対して調節可能である。
【００１７】
ガイドエレメントは、例えば金属薄板であってよい。このような金属薄板は扁平に成形することができる。またガイドエレメントは、例えばピン又は管部材であってもよい。
【００１８】
調整機構は同様に任意に構成することができる。有利には、調整機構は可動バーである。この可動バーの下端部に閉鎖栓が固定されている。前記可動バー内に、水流のための調整部材が組み込まれており、該調整部材によって、例えばプロセスコンピュータの制御信号に応じて、浸漬カップ内の水を調整することができる。
【００１９】
特に、例えば欧州特許第１３９０４４０号明細書（特許第４０９９０６９号明細書）に記載されているような調整機構を使用してもよい。この場合、コークス炉室のガス室に接続されていて、浸漬カップ内で終わっている浸漬管が使用されており、この浸漬管は、オーバーフローと閉鎖可能な流出部とを有していて、浸漬管は、その端部区分が浸漬カップ内の水位に基づく自由なガス貫流横断面を有するように構成されている。水位は、水のための流出管によって調整され、該流出管の一方の端部は浸漬管内に突入していて、該流出管の周壁側に、水を流入させるための流入開口（長手方向スリット）が設けられており、流出管内に両側が開放する摺動体が配置されており、該摺動体は長手方向の位置に応じて、流出管の前記流入開口を閉鎖し、流出管内に流入する水のための、垂直方向に調節可能なオーバーフローを形成しており、流出管の流入側の端部はサイホン管によって包囲されており、該サイホン管は流出管の上側を閉鎖し、浸漬管の下側において浸漬カップ内に開口する、水を流入させるための環状通路を形成する。
【００２０】
本発明は、ガス捕集容器内に浸漬カップをフレキシブルに配置することができる、という利点を有している。本発明によるフレキシブルな配置は、例えば温度の影響による構成部材の膨張及び歪み現象に対して臨機応変に対処することができ、また浸漬カップと王冠型管との間の間隔を同一に保つことができる。
【００２１】
本発明による装置を、図１乃至図５を用いて説明する。図面は、本発明による装置の構造を示す実施例である。
【図面の簡単な説明】
【００２２】
【図１】本発明による装置を組み付けるために適していて、コークス炉内の配置を示す従来技術による装置の概略図である。
【図２】浸漬カップの内側に配置されたガイドエレメントを備えた本発明による装置の概略図である。
【図３】王冠型管の外側に配置されたガイドエレメントを備えた本発明による装置の概略図である。
【図４】浸漬カップの内側に配置されたガイドエレメントを備えた本発明による装置の概略図である。
【図５】浸漬カップの内側及び王冠型管の外側に配置された１対のガイドエレメントを備えた本発明による装置の概略図である。
【００２３】
図１は、本発明による装置を使用するために適した従来技術による装置を示す。コークス炉室のガス室１から、コークス化ガスがガス捕集容器２内に供給される。このために上昇管３が用いられ、この上昇管３を介して、コークス化ガスがコークス炉室から導出される。コークス炉室内のガス圧の調整は、浸漬カップ４内の水位によって制御される。浸漬カップ４は、流入部５から供給される水によって満たされている。コークス化ガスを水に注入することは、王冠型管６によって行われる。図面にはさらに、浸漬管７と、ガス捕集容器２の蓋まで達する、前記浸漬カップ４の懸架部８と、調整機構の閉鎖栓９とが示されている。
【００２４】
図２は、浸漬カップ４の内側に固定された本発明による装置を示す。本発明による装置は、浸漬カップ４と王冠型管６との間の間隔を一定に保つガイドエレメント１０ａとしての金属薄板、管部材又はピンである。浸漬カップ４は、ガス捕集容器２の上蓋に取り付けられており、この場合、変位可能な部材としての伸張可能なチェーンリンクによって、浸漬カップ４が可動であることによって、浸漬カップ４を、コークス炉室の膨張又は歪みに追従させることができるようになっている。王冠型管６は、鋸歯状の成形部６ａを有しており、該成形部を介して、コークス化ガスが水面１２を通って装置内に流入する。図面には調整機構の閉鎖栓９が示されている。調整機構は、サイホン管１３ａと、垂直方向に調節可能な摺動体１３ｂと、流出管１３ｃとから成っており、前記サイホン管１３ａを介して、水が浸漬カップ４内に流入するか、又は流出管１３ｃを通ってガス捕集容器２内に流出する。これは、垂直方向に調節可能な摺動体１３ｂ及び、この摺動体１３ｂに接続された可動バー１４によって制御される。可動バーは運動機構に接続されている。
【００２５】
図３は、王冠型管６の外側に固定された本発明による装置を示す。この装置は、前記装置と同様に、浸漬カップ４と王冠型管６との間の間隔を一定に保つガイドエレメント１０ｂとしての金属薄板、管部材又はピンである。浸漬カップ４は、ガス捕集容器２の上蓋に取り付けられており、この場合、変位可能な部材１１としての伸張可能なチェーンリンクは、可動であり、それによって浸漬カップ４をコークス炉室の膨張又は歪みに追従させることができるようになっている。
【００２６】
図４は、本発明による装置を示す。この場合、金属薄板、管部材又はピンが、ガイドエレメント対のガイドエレメント１０ｃ，１０ｄとして、王冠型管６の外側にも、また浸漬カップの内側にも固定されている。本発明による装置は、前記装置と同様に、例えば金属薄板、管部材又はピンとして構成されていて、浸漬カップ４と王冠型管６との間の間隔を一定に保つガイドエレメント１０ｄである。浸漬カップ４は、ガス捕集容器２の上蓋に取り付けられていて、変位可能な部材１１としての伸張可能なチェーンリンクによって、浸漬カップ４は可動であり、それによって浸漬カップ４をコークス炉室の膨張又は歪みに追従させることができるようになっている。
【００２７】
図５は、王冠型管６の外側に固定された、本発明による装置を示す。本発明による装置は、例えば金属薄板、管部材又はピンとして構成されていて、浸漬カップ４と王冠型管６との間の間隔を一定に保つガイドエレメント１０ａである。浸漬カップ４は、ガス捕集容器２の上蓋に取り付けられており、この場合、伸張可能なワイヤロープ１５によって、浸漬カップ４は可動であり、それによって浸漬カップ４をコークス炉室の膨張又は歪みに追従させることができるようになっている。
【符号の説明】
【００２８】
１  コークス炉室のガス室、  ２  ガス捕集容器、  ３  上昇管、  ４  浸漬カップ、  ５  水流入部、流出される水、  ６  王冠型管、  ６ａ  王冠型管の鋸歯状の成形部、  ７  浸漬管、  ８  浸漬カップ４の懸架部、保持部、  ９  調整機構の閉鎖栓、  １０ａ，１０ｂ，１０ｃ，１０ｄ  ガイドエレメント、  １１  変位可能な部材としてのチェーンリンク、  １２  水面、  １３ａ  サイホン管、  １３ｂ  垂直方向に調節可能な摺動体、  １３ｃ  流出管、  １４  調整機構の可動バー、  １５  ワイヤロープ
【図１】
2012528207.tif 000003
【図２】
2012528207.tif 000004
【図３】
2012528207.tif 000005
【図４】
2012528207.tif 000006
【図５】
2012528207.tif 000007
【国際調査報告】
2012528207.tif 000008
2012528207.tif 000009
2012528207.tif 000010
2012528207.tif 000011